(57)【特許請求の範囲】
【請求項１】
操作入力を受け付ける操作入力部と、
接触を検知したとき生体情報を取得する接触検知部と、
前記操作入力を許可する人物の前記生体情報である許可一覧を記憶する記憶部と、
前記接触を検知していないとき、あるいは、前記取得した前記生体情報が前記許可一覧にないとき、前記操作入力を無効にする無効化部と、
前記操作入力が有効なとき、前記操作入力に従って処理を実行する実行部と
を備え、
前記接触検知部を二つ備え、
前記接触検知部は、前記接触を検知した前記接触検知部の数が一つのとき、前記生体情報の前記取得を行い、
前記無効化部は、前記接触を検知した前記接触検知部の数が一つ以外のとき、あるいは、前記生体情報を前記取得した前記接触検知部への前記接触がなくなったとき、前記操作入力を無効にする
ことを特徴とする操作入力装置。
【請求項２】
前記実行部は、前記処理の内容と、前記取得した前記生体情報に対応する前記人物の情報とを対応付けて記憶部に記憶させる
ことを特徴とする請求項１に記載の操作入力装置。
【請求項３】
前記無効化部は、前記取得した前記生体情報が前記許可一覧にあるとき、前記操作入力を有効にする
ことを特徴とする請求項１または請求項２に記載の操作入力装置。
【請求項４】
前記操作入力部はタッチパネルである
ことを特徴とする請求項１から請求項３のいずれかに記載の操作入力装置。
【請求項５】
前記無効化部は、前記操作入力の有効／無効を前記操作入力部に表示させる
ことを特徴とする請求項１から請求項４のいずれかに記載の操作入力装置。
【請求項６】
前記生体情報は、指紋情報あるいは／および掌紋情報である
ことを特徴とする請求項１から請求項５のいずれかに記載の操作入力装置。
【請求項７】
操作入力部への操作入力を受け付け、
接触を検知する接触検知部が二つあり、前記接触を検知した前記接触検知部の数が一つのとき、生体情報を取得し、
前記接触を検知していないとき、前記取得した前記生体情報が前記操作入力を許可する人物の前記生体情報である許可一覧にないとき、前記接触を検知した前記接触検知部の数が一つ以外のとき、あるいは、前記生体情報を前記取得した前記接触検知部への前記接触がなくなったとき、前記操作入力を無効にし、
前記操作入力が有効なとき、前記操作入力に従って処理を実行する
ことを特徴とする操作入力方法。
【請求項８】
コンピュータに、
操作入力部への操作入力を受け付ける操作受付機能と、
接触を検知する接触検知部が前記接触を検知したとき生体情報を取得する接触検知機能と、
前記接触を検知していないとき、あるいは、前記取得した前記生体情報が、前記操作入力を許可する人物の前記生体情報である許可一覧にないとき、前記操作入力を無効にする無効化機能と、
前記操作入力が有効なとき、前記操作入力に従って処理を実行する実行機能と
を実現させ
前記コンピュータが前記接触検知部を二つ備えるとき、
前記接触検知機能は、前記接触を検知した前記接触検知部の数が一つのとき、前記生体情報の前記取得を行い、
前記無効化機能は、前記接触を検知した前記接触検知部の数が一つ以外のとき、あるいは、前記生体情報を前記取得した前記接触検知部への前記接触がなくなったとき、前記操作入力を無効にする
ことを特徴とする操作入力プログラム。
【発明の詳細な説明】
【技術分野】
【０００１】
本発明は、操作者を限定し、かつ、誤操作を防止する、操作入力装置、方法およびプログラムに関する。
【背景技術】
【０００２】
テレビ局の放送番組の運行出力制御を行うマスターシステムにおいて、各機器の設定等を行う操作端末には、タッチパネルが使用されることが多い。タッチパネルは監視卓内に埋め込まれ、状態を確認しながら素早く操作することが可能となっている。
【０００３】
しかし、卓上のタッチパネルにより、操作者が意図せずにタッチパネルに触れてしまうことや、操作ではない唾の飛散等による反応で、操作が行われてしまうリスクがある。マスターシステムにおけるタッチパネル操作は、放送の運行に関する重要な操作となり、このような誤操作は重大な問題に直結する。
【０００４】
またマスターシステムの操作は、放送の運行に直結するため、限定された運用者による操作に限定されるべきものであり、第三者の操作は受け付けないセキュリティ観点の対策も重要となる。
【０００５】
これに対し、特許文献１には、操作した運転員を特定する方法が記載されている。この方法では、運転員ＩＤを格納した携帯通信手段を運転員が所持する。そして、操作卓は、運転員が操作卓のタッチ電極に接触したときに運転員の体を介して携帯通信手段から運転員ＩＤを取得し、認証処理を行う。これにより、操作を行った人物を特定し、また、操作者を限定することが可能になる。また、操作入力時に運転員がタッチ電極に接触している必要があるため、誤操作も防止することができる。
【先行技術文献】
【特許文献】
【０００６】
【特許文献１】特開２０１３−１５２５０１号公報
【発明の概要】
【発明が解決しようとする課題】
【０００７】
しかし、特許文献１に記載の方法では、運転員が携帯通信手段を所持する必要があるため、携帯通信手段の配布にコストや手間がかかってしまう。
【０００８】
本発明の目的は、より簡単な方法で操作者を限定し、かつ、誤操作を防止することを可能とする、操作入力装置、方法およびプログラムを提供することにある。
【課題を解決するための手段】
【０００９】
上述の問題を解決するために、本発明の操作入力装置は、操作入力を受け付ける操作入力部と、接触を検知したとき生体情報を取得する接触検知部と、前記操作入力を許可する人物の前記生体情報である許可一覧を記憶する記憶部と、前記接触を検知していないとき、あるいは、前記取得した前記生体情報が前記許可一覧にないとき、前記操作入力を無効にする無効化部と、前記操作入力が有効なとき、前記操作入力に従って処理を実行する実行部とを備えることを特徴とする。
【００１０】
また、本発明の操作入力方法は、操作入力部への操作入力を受け付け、接触を検知する接触検知部が前記接触を検知したとき生体情報を取得し、前記接触を検知していないとき、あるいは、前記取得した前記生体情報が前記操作入力を許可する人物の前記生体情報である許可一覧にないとき、前記操作入力を無効にし、前記操作入力が有効なとき、前記操作入力に従って処理を実行することを特徴とする。
【００１１】
また、本発明の操作入力プログラムは、コンピュータに、操作入力部への操作入力を受け付ける操作受付機能と、接触を検知する接触検知部が前記接触を検知したとき生体情報を取得する接触検知機能と、前記接触を検知していないとき、あるいは、前記取得した前記生体情報が、前記操作入力を許可する人物の前記生体情報である許可一覧にないとき、前記操作入力を無効にする無効化機能と、前記操作入力が有効なとき、前記操作入力に従って処理を実行する実行機能とを実現させることを特徴とする。
【発明の効果】
【００１２】
本発明の操作入力装置、方法およびプログラムにより、より簡単な方法で操作者を限定し、かつ、誤操作を防止することが可能になる。
【図面の簡単な説明】
【００１３】
【図１】本発明の第一および第二の実施形態の操作入力装置の構成例を示す図である。
【図２】本発明の第一の実施形態の操作入力装置の動作例を示す図である。
【図３】本発明の第一から第三の実施形態の操作入力装置の動作例を示す図である。
【図４】本発明の第二の実施形態の操作入力装置の外観例を示す図である。
【図５】本発明の第二の実施形態の操作入力装置の外観例を示す図である。
【図６】本発明の第二の実施形態の操作入力装置の動作例を示す図である。
【図７】本発明の第二の実施形態の操作入力装置の表示例を示す図である。
【図８】本発明の第二の実施形態の操作入力装置の表示例を示す図である。
【図９】本発明の第三の実施形態の操作入力装置の構成例を示す図である。
【図１０】本発明の第三の実施形態の操作入力装置の外観例を示す図である。
【図１１】本発明の第三の実施形態の操作入力装置の外観例を示す図である。
【図１２】本発明の第三の実施形態の操作入力装置の動作例を示す図である。
【図１３】本発明の第三の実施形態の操作入力装置の動作例を示す図である。
【図１４】本発明の各実施形態のハードウェア構成例を示す図である。
【発明を実施するための形態】
【００１４】
［第一の実施形態］
本発明の第一の実施の形態について説明する。
【００１５】
図１に本実施形態の操作入力装置１０の構成例を示す。本実施形態の操作入力装置１０は、操作入力部１１、接触検知部１２、記憶部１３、無効化部１４および実行部１５により構成される。
【００１６】
操作入力部１１は、操作入力を受け付ける部分である。接触検知部１２は、接触を検知したとき生体情報を取得する部分である。記憶部１３は、操作入力を許可する人物の生体情報である許可一覧を記憶する部分である。無効化部１４は、接触を検知していないとき、あるいは、取得した生体情報が許可一覧にないとき、操作入力を無効にする部分である。実行部１５は、操作入力が有効なとき、操作入力に従って処理を実行する部分である。
【００１７】
このように操作入力装置１０を構成することによって、操作入力装置１０は、接触を検知していないとき、あるいは、取得した生体情報が許可一覧にないとき、操作入力を無効にする。生体認証を利用することにより、操作入力装置１０は、操作者にＩＤを所持させずに操作者を特定し、操作入力を許可されていない人物の操作入力を無効にすることができる。また、操作者が接触検知部に接触していない状態での操作入力を無効にすることで、誤操作を防止することができる。そのため、より簡単な方法で操作者を限定し、かつ、誤操作を防止することが可能になる。
【００１８】
次に、図２および図３に本実施形態の操作入力装置１０の動作の例を示す。
【００１９】
接触検知部１２は、接触を検知したとき（ステップＳ１０１）、生体情報を取得する（ステップＳ１０２）。無効化部１４は、取得した生体情報が許可一覧にないとき（ステップＳ１０３）、あるいは、接触を検知していないとき（ステップＳ１０４）、操作入力を無効にする（ステップＳ１０５）。また、実行部１５は、操作入力が有効なとき（ステップＳ１０６）、操作入力に従って処理を実行する（ステップＳ１０７、Ｓ１０８）。
【００２０】
このように操作入力装置１０を動作させることによって、操作入力装置１０は、接触を検知していないとき、あるいは、取得した生体情報が許可一覧にないとき、操作入力を無効にする。生体認証を利用することにより、操作入力装置１０は、操作者にＩＤを所持させずに操作者を特定し、操作入力を許可されていない人物の操作入力を無効にすることができる。また、操作者が接触検知部に接触していない状態での操作入力を無効にすることで、誤操作を防止することができる。そのため、より簡単な方法で操作者を限定し、かつ、誤操作を防止することが可能になる。
【００２１】
以上で説明したように、本発明の第一の実施形態では、接触を検知していないとき、あるいは、取得した生体情報が許可一覧にないとき、操作入力を無効にする。そのため、より簡単な方法で操作者を限定し、かつ、誤操作を防止することが可能になる。
【００２２】
［第二の実施形態］
次に、本発明の第二の実施の形態について説明する。本実施形態では、第一の実施形態の操作入力装置について、さらに具体的に説明する。
【００２３】
まず、図１を用いて本実施形態の操作入力装置１０の構成例について説明する。操作入力装置１０は、操作入力部１１、接触検知部１２、記憶部１３、無効化部１４および実行部１５により構成される。
【００２４】
操作入力部１１は、操作入力を受け付ける部分である。操作入力部１１は、キーボード、マウス等の入力インタフェースに相当する。本実施形態では、操作入力部１１がタッチパネルである場合について説明する。
【００２５】
接触検知部１２は、接触を検知したとき生体情報を取得する部分である。接触検知部１２は、たとえば、静電容量の変化等により接触を検知し、また、素手での接触において生体情報を読み取り可能な接触センサである。
【００２６】
本実施形態では、生体情報として、指紋データを使用する。指紋以外に、掌紋などを使用することも可能である。掌紋などを使用すると、指紋による認証に対する抵抗感を低減することが可能となる。指紋や掌紋などの、接触している部分（指や手のひらなど）から取得できる情報以外に、接触している部分以外から取得できる情報、たとえば、顔画像や虹彩情報などを生体情報として使用することも可能である。しかし、指紋や掌紋のように、接触している部分から取得できる情報を生体情報として使用すれば、接触検知および生体情報の取得を一つのデバイスで実現することが可能になる。
【００２７】
記憶部１３は、操作入力を許可する人物の生体情報である許可一覧を記憶する部分である。また、本実施形態では、操作ログも記憶する。
【００２８】
実行部１５は、操作入力が有効なとき、操作入力に従って処理を実行する部分である。操作入力が無効なときは、操作入力があっても処理を実行しない。また、操作入力が有効なとき、操作ログとして、処理内容と操作者データを記憶部１３に記憶させる。
【００２９】
無効化部１４は、接触を検知していないとき、あるいは、取得した生体情報が許可一覧にないとき、操作入力を無効にする部分である。また、本実施形態では、取得した生体情報が許可一覧にある場合、操作入力を有効にする。さらに、本実施形態では、操作入力が無効なとき、操作入力部１１へ、操作入力が無効である旨を表示する。
【００３０】
次に、図４および図５に本実施形態の操作入力装置１０の外観例を示す。図４は、操作入力装置１０を前方から見た外観例、また、図５は操作入力装置１０を上方から見た外観例である。
【００３１】
本実施形態では、操作入力装置１０は、図４のような操作卓であることを前提にして説明を行う。状態表示部１６は、図１では図示していないが、他の機器の状態等を表示する部分である。操作入力部１１は、本実施形態では、タッチパネルである。接触検知部１２は、たとえば、操作入力部１１の手前に配置する。
【００３２】
これらの外観例では、接触検知部１２を操作入力装置１０の表面に配置しているが、操作入力装置１０の裏面にも接触検知部１２を配置し、接触検知範囲を広げても良い。裏面に接触検知部１２を配置することにより、操作入力装置１０の天板の端を掴むような動作においても、裏面の接触検知部１２により指紋認証が可能となる。
【００３３】
このように操作入力装置１０を構成することによって、操作入力装置１０は、接触を検知していないとき、あるいは、取得した生体情報が許可一覧にないとき、操作入力を無効にする。生体認証を利用することにより、操作入力装置１０は、操作者にＩＤを所持させずに操作者を特定し、操作入力を許可されていない人物の操作入力を無効にすることができる。また、操作者が接触検知部に接触していない状態での操作入力を無効にすることで、誤操作を防止することができる。そのため、より簡単な方法で操作者を限定し、かつ、誤操作を防止することが可能になる。
【００３４】
また、操作入力装置１０の操作入力部１１の手前に接触検知部１２を配置することにより、操作者が無意識に操作入力装置１０に片手をついて操作入力部１１を操作する自然な動作において、操作入力を有効とすることが可能になる。
【００３５】
また、生体認証で操作者を特定することにより、操作ログを操作者と対応付けて記録することが可能になる。
【００３６】
次に、図６を用いて、操作入力装置１０の動作の例について説明する。
【００３７】
まず、あらかじめ、操作者は、自身の生体情報を記憶部１３に記憶させておく。たとえば、操作入力装置１０は、接触検知部１２に載せられた操作者の手のひらを検知して手のひらの特徴より各指先端の指紋を読み取り、氏名データと合わせて、記憶部１３に記憶させる。
【００３８】
操作時には、まず、操作入力装置１０の無効化部１４は、操作入力を無効にする（ステップＳ２０１）。また、操作入力部１１を操作入力無効の表示にする。そして、接触検知部１２において、接触検知があるかどうかを確認する（ステップＳ２０２）。接触を検知したとき、接触検知部１２は生体情報、たとえば、指紋データを取得する（ステップＳ２０３）。そして、無効化部１４は、取得した生体情報が許可一覧にあれば（ステップＳ２０４）、操作入力を有効にする（ステップＳ２０５）。また、操作入力部１１の表示を操作入力有効の表示に変更する。取得した生体情報が記憶部１３の許可一覧にない場合、無効化部１４は、操作入力を無効のままとする。
【００３９】
図７に、操作入力部１１がタッチパネルである場合の、操作入力無効時の表示例を示す。また、図８に、操作入力有効時の表示例を示す。操作入力無効の場合、画面の一部分に操作無効の表示を出力する。操作入力有効の場合は、操作有効の表示を出力し、また、操作者の生体情報に対応する氏名データを記憶部１３より取得して表示する。
【００４０】
操作入力部１１への操作入力が有効なとき（図３のステップＳ１０６）、操作入力部１１が操作入力を検知すると（ステップＳ１０７）、実行部１５は、操作入力に従って処理を行う（ステップＳ１０８）。また、操作ログとして、操作者データ（たとえば氏名データ）と処理内容を記憶部１３に記憶させる。
【００４１】
操作入力が有効なとき、無効化部１４は、接触検知部１２での接触検知状態が継続しているかの確認を行う（ステップＳ２０６）。そして、接触が検知されなくなると、操作入力を無効にする（ステップＳ２０１）。また、操作入力部１１を操作入力無効の表示にする。
【００４２】
なお、ステップＳ２０６とともに生体認証を行い、ステップＳ２０４で特定した人物と変わっていた場合には、一度操作入力を無効にするようにしても良い。
【００４３】
このように操作入力装置１０を動作させることによって、操作入力装置１０は、接触を検知していないとき、あるいは、取得した生体情報が許可一覧にないとき、操作入力を無効にする。生体認証を利用することにより、操作入力装置１０は、操作者にＩＤを所持させずに操作者を特定し、操作入力を許可されていない人物の操作入力を無効にすることができる。また、操作者が接触検知部に接触していない状態での操作入力を無効にすることで、誤操作を防止することができる。そのため、より簡単な方法で操作者を限定し、かつ、誤操作を防止することが可能になる。
【００４４】
以上で説明したように、本発明の第二の実施形態では、第一の実施形態と同様に、接触を検知していないとき、あるいは、取得した生体情報が許可一覧にないとき、操作入力を無効にする。そのため、より簡単な方法で操作者を限定し、かつ、誤操作を防止することが可能になる。
【００４５】
また、操作入力装置１０の操作入力部１１の手前に接触検知部１２を配置することにより、操作者が無意識に操作入力装置１０に片手をついて操作入力部１１を操作する自然な動作において、操作入力を有効とすることが可能になる。
【００４６】
また、生体認証で操作者を特定することにより、操作ログを操作者と対応付けて記録することが可能になる。
【００４７】
［第三の実施形態］
次に、本発明の第三の実施の形態について説明する。本実施形態は、接触検知部を複数にする形態である。
【００４８】
まず、図９に本実施形態の操作入力装置２０の構成例を示す。操作入力装置２０は、操作入力部１１、接触検知部１２ａ、接触検知部１２ｂ、記憶部１３、無効化部２４および実行部１５により構成される。操作入力部１１、記憶部１３および実行部１５については第二の実施形態と同様のため説明を省略する。
【００４９】
接触検知部１２ａおよび接触検知部１２ｂについても第二の実施形態の接触検知部１２と同様であるが、本実施形態では、接触検知部１２ａと接触検知部１２ｂの二つの接触検知部を備える。なお、本実施形態では接触検知部が二つの場合について説明するが、接触検知部は二つ以上であればいくつであっても良い。また、接触検知と生体情報の取得を別のデバイスで行う場合には（生体情報として、接触している部分以外から取得できる情報を使用する場合など）、接触を検知する部分を複数、生体情報を取得する部分を一つとしても良い。
【００５０】
無効化部２４は、第二の実施形態と同様に、接触の検知状況に応じて操作入力を無効にする部分である。本実施形態では、接触検知部１２ａあるいは接触検知部１２ｂのいずれかでのみ接触を検知している場合、かつ、取得した生体情報が許可一覧にあるとき、操作入力を有効にする。それ以外の場合は、操作入力を無効にする。また、操作入力の有効／無効を操作入力部１１へ表示させる。
【００５１】
本実施形態では、複数の接触検知部のうち一つでのみ接触を検知している場合、かつ、取得した生体情報が許可一覧にあるとき、操作入力を有効にする。接触を検知している接触検知部の数の条件については、これ以外の条件を使用することも可能である。たとえば、所定の数以上／以下の接触検知部が接触を検知している場合に操作入力を有効にすることも考えられる。
【００５２】
次に、図１０および図１１に本実施形態の操作入力装置２０の外観例を示す。図１０は、操作入力装置２０を前方から見た外観例、また、図１１は操作入力装置２０を上方から見た外観例である。図４および図５との差分は、接触検知部を二つ備える点である。
【００５３】
このように操作入力装置２０を構成することによって、操作入力装置２０は、接触を検知している接触検知部の数が所定の条件を満たさないとき、あるいは、取得した生体情報が許可一覧にないとき、操作入力を無効にする。生体認証を利用することにより、操作入力装置２０は、操作者にＩＤを所持させずに操作者を特定し、操作入力を許可されていない人物の操作入力を無効にすることができる。また、操作者が接触検知部に接触していない状態での操作入力を無効にすることで、誤操作を防止することができる。そのため、より簡単な方法で操作者を限定し、かつ、誤操作を防止することが可能になる。
【００５４】
また、接触を検知している接触検知部の数が所定の条件を満たし、かつ、生体情報が許可一覧にあるとき、操作入力を有効にすることにより、より正確に誤操作を防止することが可能になる。
【００５５】
また、操作入力装置１０の操作入力部１１の手前の左右に接触検知部を配置することにより、操作者が無意識に操作入力装置１０に片手をついて操作入力部１１を操作する自然な動作において、操作入力を有効とすることが可能になる。
【００５６】
また、生体認証で操作者を特定することにより、操作ログを操作者と対応付けて記録することが可能になる。
【００５７】
次に、図６、図１２、図１３を用いて、操作入力装置２０の動作の例について説明する。本実施形態では、図６のステップＳ２０２の代わりに、図１２のステップＳ３０１の動作を行い、図６のステップＳ２０６の代わりに図１３のステップＳ３０４、ステップＳ３０５の動作を行う。
【００５８】
まず、あらかじめ、操作者は、自身の生体情報を記憶部１３に記憶させておく。たとえば、操作入力装置２０は、接触検知部１２ａあるいは／および接触検知部１２ｂに載せられた操作者の手のひらを検知して手のひらの特徴より各指先端の指紋を読み取り、氏名データと合わせて、記憶部１３に記憶させる。
【００５９】
操作時には、まず、操作入力装置２０の無効化部１４は、操作入力を無効にする（ステップＳ２０１）。また、操作入力部１１を操作入力無効の表示にする。
【００６０】
次に、接触検知部１２ａと接触検知部１２ｂの一方のみが接触を検知したとき（ステップＳ３０１）、接触検知部は生体情報を取得する（ステップＳ２０３）。そして、無効化部１４は、取得した生体情報が許可一覧にあれば（ステップＳ２０４）、操作入力を有効にする（ステップＳ２０５）。また、操作入力部１１の表示を操作入力有効の表示に変更する。取得した生体情報が記憶部１３の許可一覧にない場合、無効化部１４は、操作入力を無効のままとする。
【００６１】
ステップＳ３０１において、接触検知部１２ａと接触検知部１２ｂの両方が接触を検知したとき、あるいは、いずれも接触を検知していないときは、ステップＳ３０１の動作を繰り返す。
【００６２】
操作入力部１１への操作入力が有効なとき（図３のステップＳ１０６）、操作入力部１１が操作入力を検知すると（ステップＳ１０７）、実行部１５は、操作入力に従って処理を行う（ステップＳ１０８）。また、操作ログとして、操作者データ（たとえば氏名データ）と処理内容を記憶部１３に記憶させる。
【００６３】
操作入力が有効なとき、無効化部１４は、生体情報を取得した接触検知部での接触検知状態が継続しているかの確認を行う（ステップＳ３０４）。生体情報を取得した接触検知部が接触を継続検知している場合、もう一方の接触検知部が接触を検知しているかどうか確認する（ステップＳ３０５）。もう一方の接触検知部への接触がなければ、操作入力は有効のまま、ステップＳ３０４へ戻る。
【００６４】
無効化部１４は、生体情報を取得した接触検知部での接触検知がなくなったとき、あるいは、もう一方の接触検知部が接触を検知したとき、操作入力を無効にする（ステップＳ２０１）。また、操作入力部１１を操作入力無効の表示にする。
【００６５】
このように操作入力装置２０を動作させることによって、操作入力装置２０は、接触を検知している接触検知部の数が所定の条件を満たさないとき、あるいは、取得した生体情報が許可一覧にないとき、操作入力を無効にする。生体認証を利用することにより、操作入力装置２０は、操作者にＩＤを所持させずに操作者を特定し、操作入力を許可されていない人物の操作入力を無効にすることができる。また、操作者が接触検知部に接触していない状態での操作入力を無効にすることで、かつ、誤操作を防止することができる。そのため、より簡単な方法で操作者を限定し、かつ、誤操作を防止することが可能になる。
【００６６】
以上で説明したように、本発明の第三の実施形態では、第一および第二の実施形態と同様に、接触を検知している接触検知部の数が所定の条件を満たさないとき、あるいは、取得した生体情報が許可一覧にないとき、操作入力を無効にする。そのため、より簡単な方法で操作者を限定し、かつ、誤操作を防止することが可能になる。
【００６７】
また、接触を検知している接触検知部の数が所定の条件を満たし、かつ、生体情報が許可一覧にあるとき、操作入力を有効にすることにより、より正確に誤操作を防止することが可能になる。
【００６８】
また、操作入力装置１０の操作入力部１１の手前の左右に接触検知部を配置することにより、操作者が無意識に操作入力装置１０に片手をついて操作入力部１１を操作する自然な動作において、操作入力を有効とすることが可能になる。
【００６９】
［ハードウェア構成例］
上述した本発明の各実施形態における操作入力装置（１０、２０）を、一つの情報処理装置（コンピュータ）を用いて実現するハードウェア資源の構成例について説明する。なお、操作入力装置は、物理的または機能的に少なくとも二つの情報処理装置を用いて実現してもよい。また、操作入力装置は、専用の装置として実現してもよい。また、操作入力装置の一部の機能のみを情報処理装置を用いて実現しても良い。
【００７０】
図１４は、本発明の各実施形態の操作入力装置を実現可能な情報処理装置のハードウェア構成例を概略的に示す図である。情報処理装置４０は、通信インタフェース４１、入出力インタフェース４２、演算装置４３、記憶装置４４および不揮発性記憶装置４５およびドライブ装置４６を備える。
【００７１】
通信インタフェース４１は、各実施形態の操作入力装置が、有線あるいは／および無線で外部装置と通信するための通信手段である。なお、操作入力装置を、少なくとも二つの情報処理装置を用いて実現する場合、それらの装置の間を通信インタフェース４１経由で相互に通信可能なように接続しても良い。
【００７２】
入出力インタフェース４２は、入力デバイスの一例であるキーボードや、出力デバイスとしてのディスプレイ等のマンマシンインタフェースである。
【００７３】
演算装置４３は、汎用のＣＰＵ（Central Processing Unit）やマイクロプロセッサ等の演算処理装置である。演算装置４３は、たとえば、不揮発性記憶装置４５に記憶された各種プログラムを記憶装置４４に読み出し、読み出したプログラムに従って処理を実行することが可能である。
【００７４】
記憶装置４４は、演算装置４３から参照可能な、ＲＡＭ（Random Access Memory）等のメモリ装置であり、プログラムや各種データ等を記憶する。記憶装置４４は、揮発性のメモリ装置であっても良い。
【００７５】
不揮発性記憶装置４５は、たとえば、ＲＯＭ（Read Only Memory）、フラッシュメモリ、等の、不揮発性の記憶装置であり、各種プログラムやデータ等を記録することが可能である。
【００７６】
ドライブ装置４６は、たとえば、後述する記録媒体４７に対するデータの読み込みや書き込みを処理する装置である。
【００７７】
記録媒体４７は、たとえば、光ディスク、光磁気ディスク、半導体フラッシュメモリ等、データを記録可能な任意の記録媒体である。
【００７８】
本発明の各実施形態は、たとえば、図１４に例示した情報処理装置４０により操作入力装置を構成し、この操作入力装置に対して、上記各実施形態において説明した機能を実現可能なプログラムを供給することにより実現してもよい。
【００７９】
この場合、操作入力装置に対して供給したプログラムを、演算装置４３が実行することによって、実施形態を実現することが可能である。また、操作入力装置のすべてではなく、一部の機能を情報処理装置４０で構成することも可能である。
【００８０】
さらに、上記プログラムを記録媒体４７に記録しておき、操作入力装置の出荷段階、あるいは運用段階等において、適宜上記プログラムが不揮発性記憶装置４５に格納されるよう構成してもよい。なお、この場合、上記プログラムの供給方法は、出荷前の製造段階、あるいは運用段階等において、適当な治具を利用して操作入力装置内にインストールする方法を採用してもよい。また、上記プログラムの供給方法は、インターネット等の通信回線を介して外部からダウンロードする方法等の一般的な手順を採用してもよい。
【００８１】
なお、上述する各実施の形態は、本発明の好適な実施の形態であり、本発明の要旨を逸脱しない範囲内において種々変更実施が可能である。
【００８２】
上記の実施形態の一部または全部は、以下の付記のようにも記載されうるが、以下には限られない。
【００８３】
（付記１）
操作入力を受け付ける操作入力部と、
接触を検知したとき生体情報を取得する接触検知部と、
前記操作入力を許可する人物の前記生体情報である許可一覧を記憶する記憶部と、
前記接触を検知していないとき、あるいは、前記取得した前記生体情報が前記許可一覧にないとき、前記操作入力を無効にする無効化部と、
前記操作入力が有効なとき、前記操作入力に従って処理を実行する実行部と
を備えることを特徴とする操作入力装置。
【００８４】
（付記２）
前記無効化部は、前記取得した前記生体情報が前記許可一覧にあるとき、前記操作入力を有効にする
ことを特徴とする付記１に記載の操作入力装置。
【００８５】
（付記３）
前記接触検知部を少なくとも二つ備え、
前記接触検知部は、前記接触を検知した前記接触検知部の数が所定の条件を満たすとき、前記生体情報の前記取得を行い、
前記無効化部は、前記接触を検知した前記接触検知部の数が前記所定の条件を満たさないとき、あるいは、前記生体情報を前記取得した前記接触検知部への前記接触がなくなったとき、前記操作入力を無効にする
ことを特徴とする付記１あるいは付記２のいずれかに記載の操作入力装置。
【００８６】
（付記４）
前記接触検知部を二つ備え、
前記接触検知部は、前記接触を検知した前記接触検知部の数が一つのとき、前記生体情報の前記取得を行い、
前記無効化部は、前記接触を検知した前記接触検知部の数が一つ以外のとき、あるいは、前記生体情報を前記取得した前記接触検知部への前記接触がなくなったとき、前記操作入力を無効にする
ことを特徴とする付記３に記載の操作入力装置。
【００８７】
（付記５）
前記操作入力部はタッチパネルである
ことを特徴とする付記１から付記４のいずれかに記載の操作入力装置。
【００８８】
（付記６）
前記無効化部は、前記操作入力の有効／無効を前記操作入力部に表示させる
ことを特徴とする付記１から付記５のいずれかに記載の操作入力装置。
【００８９】
（付記７）
前記生体情報は、指紋情報あるいは／および掌紋情報である
ことを特徴とする付記１から付記６のいずれかに記載の操作入力装置。
【００９０】
（付記８）
前記実行部は、前記処理の内容と、前記取得した前記生体情報に対応する前記人物の情報とを対応付けて記憶部に記憶させる
ことを特徴とする付記１から付記７のいずれかに記載の操作入力装置。
【００９１】
（付記９）
操作入力部への操作入力を受け付け、
接触を検知する接触検知部が前記接触を検知したとき生体情報を取得し、
前記接触を検知していないとき、あるいは、前記取得した前記生体情報が前記操作入力を許可する人物の前記生体情報である許可一覧にないとき、前記操作入力を無効にし、
前記操作入力が有効なとき、前記操作入力に従って処理を実行する
ことを特徴とする操作入力方法。
【００９２】
（付記１０）
前記取得した前記生体情報が前記許可一覧にあるとき、前記操作入力を有効にする
ことを特徴とする付記９に記載の操作入力方法。
【００９３】
（付記１１）
前記接触検知部が少なくとも二つあるとき、
前記接触を検知した前記接触検知部の数が所定の条件を満たすとき、前記生体情報の前記取得を行い、
前記接触を検知した前記接触検知部の数が前記所定の条件を満たさないとき、あるいは、前記生体情報を前記取得した前記接触検知部への前記接触がなくなったとき、前記操作入力を無効にする
ことを特徴とする付記９あるいは付記１０のいずれかに記載の操作入力方法。
【００９４】
（付記１２）
前記接触検知部が二つあるとき、
前記接触を検知した前記接触検知部の数が一つのとき、前記生体情報の前記取得を行い、
前記接触を検知した前記接触検知部の数が一つ以外のとき、あるいは、前記生体情報を前記取得した前記接触検知部への前記接触がなくなったとき、前記操作入力を無効にする
ことを特徴とする付記１１に記載の操作入力方法。
【００９５】
（付記１３）
前記操作入力部はタッチパネルである
ことを特徴とする付記９から付記１２のいずれかに記載の操作入力方法。
【００９６】
（付記１４）
前記操作入力の有効／無効を前記操作入力部に表示させる
ことを特徴とする付記９から付記１３のいずれかに記載の操作入力方法。
【００９７】
（付記１５）
前記生体情報は、指紋情報あるいは／および掌紋情報である
ことを特徴とする付記９から付記１４のいずれかに記載の操作入力方法。
【００９８】
（付記１６）
前記処理の内容と、前記取得した前記生体情報に対応する前記人物の情報とを対応付けて記憶部に記憶させる
ことを特徴とする付記９から付記１５のいずれかに記載の操作入力方法。
【００９９】
（付記１７）
コンピュータに、
操作入力部への操作入力を受け付ける操作受付機能と、
接触を検知する接触検知部が前記接触を検知したとき生体情報を取得する接触検知機能と、
前記接触を検知していないとき、あるいは、前記取得した前記生体情報が、前記操作入力を許可する人物の前記生体情報である許可一覧にないとき、前記操作入力を無効にする無効化機能と、
前記操作入力が有効なとき、前記操作入力に従って処理を実行する実行機能と
を実現させることを特徴とする操作入力プログラム。
【０１００】
（付記１８）
前記無効化機能は、前記取得した前記生体情報が前記許可一覧にあるとき、前記操作入力を有効にする
ことを特徴とする付記１７に記載の操作入力プログラム。
【０１０１】
（付記１９）
前記コンピュータが前記接触検知部を少なくとも二つ備えるとき、
前記接触検知機能は、前記接触を検知した前記接触検知部の数が所定の条件を満たすとき、前記生体情報の前記取得を行い、
前記無効化機能は、前記接触を検知した前記接触検知部の数が前記所定の条件を満たさないとき、あるいは、前記生体情報を前記取得した前記接触検知部への前記接触がなくなったとき、前記操作入力を無効にする
ことを特徴とする付記１７あるいは付記１８のいずれかに記載の操作入力プログラム。
【０１０２】
（付記２０）
前記コンピュータが前記接触検知部を二つ備えるとき、
前記接触検知機能は、前記接触を検知した前記接触検知部の数が一つのとき、前記生体情報の前記取得を行い、
前記無効化機能は、前記接触を検知した前記接触検知部の数が一つ以外のとき、あるいは、前記生体情報を前記取得した前記接触検知部への前記接触がなくなったとき、前記操作入力を無効にする
ことを特徴とする付記１９に記載の操作入力プログラム。
【０１０３】
（付記２１）
前記操作入力部はタッチパネルである
ことを特徴とする付記１７から付記２０のいずれかに記載の操作入力プログラム。
【０１０４】
（付記２２）
前記無効化機能は、前記操作入力の有効／無効を前記操作入力部に表示させる
ことを特徴とする付記１７から付記２１のいずれかに記載の操作入力プログラム。
【０１０５】
（付記２３）
前記生体情報は、指紋情報あるいは／および掌紋情報である
ことを特徴とする付記１７から付記２２のいずれかに記載の操作入力プログラム。
【０１０６】
（付記２４）
前記実行機能は、前記処理の内容と、前記取得した前記生体情報に対応する前記人物の情報とを対応付けて記憶部に記憶させる
ことを特徴とする付記１７から付記２３のいずれかに記載の操作入力プログラム。
【符号の説明】
【０１０７】
１０、２０    操作入力装置
１１    操作入力部
１２    接触検知部
１３    記憶部
１４、２４    無効化部
１５    実行部
４０    情報処理装置
４１    通信インタフェース
４２    入出力インタフェース
４３    演算装置
４４    記憶装置
４５    不揮発性記憶装置
４６    ドライブ装置
４７    記録媒体
【図１】
0006686514.tif 000002
【図２】
0006686514.tif 000003
【図３】
0006686514.tif 000004
【図４】
0006686514.tif 000005
【図５】
0006686514.tif 000006
【図６】
0006686514.tif 000007
【図７】
0006686514.tif 000008
【図８】
0006686514.tif 000009
【図９】
0006686514.tif 000010
【図１０】
0006686514.tif 000011
【図１１】
0006686514.tif 000012
【図１２】
0006686514.tif 000013
【図１３】
0006686514.tif 000014
【図１４】
0006686514.tif 000015